(57)【要約】【課題】  従来のハーネスでは幼体から成体までの成長の過程に合わせてハーネスを買い換えている不都合とデザイン的に目新しいものがないまんねり化した商品、売り場に対する不満や小動物では圧倒的に少ない品揃え、またトカゲ類に関しては専用のものがない不便さを解決すること。【解決手段】  ハーネスの装着調整巾を広くして微妙な調整を可能にすることで幼体から成体までワンサイズで対応できる様にする。また簡素化された構造により多品種少ロットで様々なデザイン展開ができ、パワーストーンで従来のハーネスにない感覚的な付加価値をつけることで、この課題を解決する。【選択図】図１
2008289464.tif 000002
【特許請求の範囲】
【請求項１】
幼犬、小型犬を含む、トカゲ、うさぎ、ハムスター、フェレット等の小動物用ハーネスにおいて、２本の長さの違う紐にそれぞれビーズを通し可動する輪を設け、その２本の紐輪を８の字状に交差させることによりできた交差部分で小動物の胸部を無理なく支え、肩部で固定することで必要以上に小動物の首、胸部を絞め付けることがなく容易にはずれない構造で、長い紐にはリードとしての機能をもたせ、また短い紐の長さによってハーネスの装着調整巾を自由に変えることができ、ワンサイズで様々な大きさの異なる小動物に装着可能でハーネスの素材として、例えば柔らかく肌触りがソフトで適度な伸縮性のあるスウェード調カラー染色合成皮革紐と、色々な色、柄、形のプラスチック、ガラス、ウッド、金属、パワーストーン等のアクセサリー用のビーズを組み合わせることで様々な視覚、感覚的なデザインイメージを容易に構成できることを特徴とする小動物用ハーネス。
【発明の詳細な説明】
【技術分野】
【０００１】  本発明は、幼犬、小型犬を含む、トカゲ、うさぎ、ハムスター、フェレット等の小動物用ハーネスに関するものであり、ハーネスの構造に工夫を加え装着調整巾を広くしたことによって、ワンサイズで様々な大きさの異なる小動物、また幼体から成体への成長の変化に対応して小動物の首、胸部を必要以上に絞め付けることがなく装着でき、ハーネス本体のデザインも容易に様々なイメージに創りあげることができる。
【背景技術】
【０００２】  犬、猫に比べ圧倒的に飼育人口が少ない小動物、ペット全体から見れば飼育率は、まだ低いが爬虫類を中心に着実に伸びており、２０００年を機に東京、静岡、大阪、九州を中心に毎年、小動物のイベントが開催され盛り上がりをみせている。【０００３】  従来から、小動物用ハーネスとして、うさぎ専用、ハムスター専用、フェレット専用の３タイプが市場に出回っているものの、その仕様やデザインについては種類も少なく、ただ単に犬用ハーネスを流用したものであり、特に愛好家に根強い人気がある爬虫類、幼体から成体までの大きさにかなり差がでるトカゲについては、専用のハーネスがない為に上記３タイプを大きさに合わせて仕方なく使用している。結論としては小動物の飼い主は市場に出回っているハーネスに満足していないのが現状である。
【非特許文献１】野沢一馬著、「ペットビジネスの始め方・儲け方」はる出版、２００６年１２月１５日発行、Ｐ３４〜３６
【非特許文献２】「ＨＥＲＰＬＩＦＥ＃０１３」オールリビングクリーチャーズ、２００６年１２月１５日発行、Ｐ４３〜４５
【発明の開示】
【発明が解決しようとする課題】
【０００４】  犬や猫に比べ圧倒的に飼育人口が少ない小動物、つまり需要が少ないことから従来からあるハーネスの構造では、ハーネスを構成している機械成型部品であるバックル、アジャスター、装飾パーツの加工や、紐部のデザイン印刷等の特殊加工において生産ロット、コスト的に採算が合わないことから仕様、デザインの開発がなされていない。少数とはいえ、犬や猫を愛玩するのと同じ様に小動物を愛玩し、飼育している小動物の飼い主の、従来からある小動物用ハーネスの仕様、デザインに対しての不満や物足りなさ不都合を解決することを課題とする。
【課題を解決するための手段】
【０００５】  この課題を解決するための請求項１の発明は、多品種少ロットで生産できるように、ハーネスを構成している部品を色々なアクセサリー用のビーズで構成させることによって生産ロットの必要な特殊加工部品を一切使用せずに、視覚、感覚的に様々なイメージのデザインを創り出すことができ、また小動物を拘束する紐部においても２本の長さの違う紐それぞれにデザインとなるアクセサリー用のビーズを通し可動する輪を設け、その輪を８の字に交差させることでハーネスとしての機能をもたせ、長い紐はリードとして機能させ，短い紐の長さにより装着調整巾を変えることができるように工夫し、できるだけ手間が掛からないように構造を簡素化することで多品種少ロットでの生産を可能にした。
【発明の効果】
【０００６】  本発明により、例えばトカゲのように幼体から成体への成長が速く、また幼体の時に体長１５ｃｍ位だったものが成体になると６０ｃｍ位からもっと大きくなるもので１ｍ位になり、その成長の過程において従来のハーネスでは適度なフイット感で体を拘束することに対応できず、飼い主にとっては愛玩するペットとの外出や室内での放し飼いがしにくいことで、ペットを飼育するうえでのひとつの楽しみである愛玩するペットとの触れあいが少なく飼い主のペットライフの巾を狭めていたが、ハーネスの装着調整巾が広く、しかも微妙な装着調整が可能になったことで様々な大きさの小動物に対応できることは、小動物の飼い主のペットライフをより充実したものにできる。またデザイン的なことにおいても、多品種少ロットで色々なイメージのデザインを提供できるので、飼い主にとってイメージに合ったデザインのハーネスを選択して購入できる消費する楽しみと、それを愛玩するペットに装着する楽しみができ、またパワーストーンビーズを用いることにより、例えばトルコ石なら御守りとしての付加価値が生まれ、１月から１２月それぞれに謂われのある誕生石でハーネスのデザインを構成すれば愛玩する小動物の誕生月のハーネスが装着できるといった従来のハーネスには無かった感覚的な付加価値を飼い主に提供でき、しかも従来のハーネスになかった付加価値があるので売場の活性化にもなる。
【発明を実施するための最良の形態】
【０００７】  以下、本発明を実施するための最良の形態を図面に基づいて説明する。図１〜図３は本発明の実施の形態を示すものである。本発明の小動物用ハーネスは、リード部兼ハーネス部の長い紐体１とハーネス部の短い紐体２とデザインビーズａ，ｂ，ｃ，ｄからなるアジャスター部Ｂとデザインビーズｅ，ｆ，ｇ，ｈからなるアジャスター部Ｃとアジャスター部ビーズＡと留めビーズＤとリストバンド５を構成部材としている。リード部兼ハーネス部の長い紐体１、ハーネス部の短い紐体２は、色々な色に染色された天然皮革、合成皮革でスウェード調、マット調、グロス調又はナイロンやアクリル等の合成樹脂製或いはこれらの複合素材で柔らかく適度な伸縮性のある扁平紐又は丸紐で作製されている。
アジャスター部Ｂとアジャスター部Ｃのデザインビーズａ，ｂ，ｃ，ｄ，ｅ，ｆ，ｇ，ｈとアジャスタービーズＡと留めビーズＤは、色々な色、柄、形のアクセサリー用のビーズでプラスチック、ガラス、ウッド、金属、天然石、パワーストーンで作製されていて、それらの色、柄、形、素材を組み合わせることによって視覚的に様々なイメージと質感のあるデザインを創りだし、またそれぞれ謂われのあるパワーストーンを用いることで感覚的な付加価値のあるデザインに創作されている。リストバンド５は、リード部兼ハーネス部の長い紐体１とハーネス部の短い紐体２と同じ素材でバンド状に作製されており、刻印や鋲打ち等のデザインされたものを用いても良い。【０００８】  図１は、リード部兼ハーネス部の長い紐体１をハーネス部の短い紐体２と同じ長さになる様に結び目４で連結させる。デザインビーズａ，ｂ，ｃ，ｄを連結された２本の紐体１ａ，２ａに通し可動するアジャスター部Ｂを設けて出来た紐体１ａ，２ａに、それぞれデザインビーズｅ，ｆ，ｇ，ｈを通し可動するアジャスター部Ｃを２個所設けて、紐体１ａ，２ａにそれぞれ可動するアジャスター部ビーズＡを通し紐体１ａと紐体２ａを交差させ紐体１ａ，２ａを再びそれぞれのアジャスター部ビーズＡに通し結び目３で留め、２つの可動する小動物の前足に掛ける調節機能である輪１Ａ，２Ａと胸部を支持する胸部支持部３ｂを設けハーネス部を構成し、次にリード部紐体１Ｂに留めビーズＤを通し結び目４で固定してからアジャスター部ビーズＡを通してリストバンド５に通し再びアジャスター部ビーズＡに通し結び目３で留め、可動する持ち手部の構成からなる。ハーネス部の装着調整巾はハーネス部の短い紐体２の長さにより調整可能で、例えばハーネス部の短い紐体２の長さが５０Ｃｍの場合で最低胴囲約１０Ｃｍから最大胴囲約３０Ｃｍの範囲まで自由に調整し装着が可能で、また簡素化された部材と構造からなる小動物用ハーネスの形態を示す。【０００９】  図２、図３は、小動物（例、トカゲ）Ｒに装着する際に可動する部分と装着した場合の形態を示したものである。輪１Ａ，２Ａを胸部支持部３ｂが小動物の胸部中心にくる様にして前足に掛け、アジャスター部ビーズＡを小動物の胸部を絞め付け過ぎない様に調整し肩部まで可動させた後にアジャスター部Ｃを可動させアジャスター部Ａを固定し、最後にアジャスター部Ｂを可動させることで小動物の首回りと胴回りを必要以上に絞め付けることなく容易に外れない様になり小動物を無理なく拘束することができる。図３は、装着を完了した形態を示すものでデザインビーズａ，ｂ，ｃ，ｄからなるアジャスター部Ｂとデザインビーズｅ，ｆ，ｇ，ｈからなる２個所のアジャスター部Ｃが連結することによって、ひとつの視覚的なデザイン３Ｄが構成され、例えばデザインビーズｄにデザイン全体のワンポイントとしてパワーストーンビーズを用いることで感覚的な付加価値も得られ、従来のハーネスにない要素である現在流行しているビーズアクセサリーの魅力も兼ね備え、様々なイメージのデザインが多品種少ロットで生産可能な小動物用ハーネスの装着形態を示す。
【実施例】
【００１０】  図１により、本発明の実施例を説明する。図１ではデザインビーズａからｈを合計２１個使用しているが、その数については表現しようとするデザインのイメージによって増減する。またデザインビーズａからｈの素材、色、柄、形においても表現しようとするデザインイメージよって様々なアクセサリー用のデザインビーズを使用する。パワーストーンについては１月から１２月までの誕生石をハーネスのデザインのワンポイントとした感覚的な付加価値のあるアイテムでシリーズ展開をする。具体的には、１月はガーネットで血行を良くする、２月はアメジストで恋愛運を上げる、３月はアクアマリンで幸せな結婚へと導く、４月は水晶で潜在能力を引き出す、５月はアベンチュリンで精神の安定、６月はシトリンでストレスを癒す、７月はインカローズで未来の幸福を呼ぶ、８月はカーネリアンで仕事を成功へと導く、９月はラピスラズリーで幸運の御守り、１０月はローズクオーツで美と健康、１１月はトパーズで心身の健康を保つ、１２月はターコイズでやる気をつける守り石といった具合に誕生月で選択でき、また効能でも選択できるので飼い主にとってハーネスを購入するうえでの選択肢がひろがりハーネスを選ぶ楽しみとなり、しかもまんねり化した売場の活性化も図る。図１の様に完成品での販売はもちろんのことだが簡素化された構造で特別に難しい加工、工具も必要ないので半製品、組み立てキットでの販売もできる。飼い主にビーズアクセサリー感覚で作る楽しみを付加価値としたハーネスを提供できる。
【産業上の利用可能性】
【００１１】  本発明の小動物用ハーネスは、大量生産、大量消費の時代が終った現在において多品種少ロットで様々な消費者ニーズに対応できるため、産業上の利用可能性を有する。
【図面の簡単な説明】
【００１２】
【図１】  装着調整巾が広く多品種少ロットで様々なデザインを展開でき、従来のハーネスにない感覚的な付加価値のある幼犬、小型犬を含む小動物用ハーネスの斜視図である。
【図２】  幼犬、小型犬を含む小動物用ハーネスを小動物（例、トカゲ）に装着する際の可動部材の動きと、その手順を示す斜視図である。
【図３】  幼犬、小型犬を含む小動物用ハーネスを小動物（例、トカゲ）に装着を完了した状態を示す斜視図である。
【符号の説明】
Ｒ  小動物（例、トカゲ）
１  リード部兼ハーネス部の長い紐体
２  ハーネス部の短い紐体
３  結び目
４  結び目
５  リストバンド
１Ａ  輪
２Ａ  輪
１ａ  紐体
２ａ  紐体
３ｂ  胸部支持部
１Ｂ  リード部紐体
Ａ  アジャスター部ビーズ
Ｂ  アジャスター部
Ｃ  アジャスター部
Ｄ  留めビーズ
ａ  デザインビーズ
ｂ  デザインビーズ
ｃ  デザインビーズ
ｄ  デザインビーズ
ｅ  デザインビーズ
ｆ  デザインビーズ
ｇ  デザインビーズ
ｈ  デザインビーズ
３Ｄ  デザイン
【図１】
2008289464.tif 000003
【図２】
2008289464.tif 000004
【図３】
2008289464.tif 000005